(57)【特許請求の範囲】
【請求項１】
鞄の開閉端部の一端部に固着される固着部と係止孔とを有する係止金具およびこの係止金具が固着されるフック本体を備えたフック装置と、
前記鞄の開閉端部の他端部に配設され前記係止金具が押し当てられる押当面を有する本体ケース、この本体ケースに配設され前記係止金具の係止孔内を係脱可能に挿通してこの係止孔に係止する施錠位置とこの係止孔との係止状態が解除される開錠位置とに回動可能に構成されかつ施錠位置に回動するように付勢される捻り、この捻りの回動軸に外嵌固定されストッパ用係止部とレバー用係止部とを有するカムロータ、前記本体ケースの押当面に出没可能に突設されて突出方向に付勢され、その突出時に前記ストッパ用係止部に係脱可能に係止して前記捻りを前記開錠位置に保持する一方、没入時に前記ストッパ用係止部との係止状態を解除して前記捻りの施錠位置への回動を可能にするストッパおよび前記捻りが施錠位置にある場合に押圧されたときに前記レバー用係止部を押圧して前記カムロータを回動させることにより前記ストッパ用係止部と前記ストッパとの係止状態を解除して前記捻りが開錠位置に回動するようにカムロータを回動させるレバーを備えた錠本体と、
を具備していることを特徴とする鞄錠。
【請求項２】
前記係止金具は、その長手方向に前記係止孔を複数形成していることを特徴とする請求項１記載の鞄錠。
【請求項３】
前記本体ケースは、前記係止金具を吸着する磁石を具備していることを特徴とする請求項１または２記載の鞄錠。
【請求項４】
前記フック装置は、前記フック本体の前記係止金具の反対側を被覆するカバーを具備していることを特徴とする請求項１から３のいずれか１項に記載の鞄錠。
【請求項５】
前記鞄がランドセルであり、このランドセルをユーザーが背負ったときのこのユーザーの背中側に、前記レバーが位置するように構成されていることを特徴とする請求項１から４のいずれか１項に記載の鞄錠。
【発明の詳細な説明】
【技術分野】
【０００１】
本発明の実施形態は、ランドセル等鞄の施錠と開（解）錠操作が共に簡単な鞄錠に関する。
【背景技術】
【０００２】
従来、この種の鞄錠の一例としては、特許文献１，２に記載されたものがある。これらは鞄の蓋部材に配設される掛止板と、鞄本体に配設される錠本体とを具備し、掛止板の横長の嵌合孔を掛止部材に嵌めるように掛止板を錠本体の押圧面に押し当てると、この錠本体の押当面上に突出した制止片が掛止板の押当面によって押し込まれる。これにより、回動制限片と制止板の係止状態が解除され、掛止部材が掛止板の横長の嵌合孔に対して直交して係止する施錠位置に回動して係止され、施錠されるようになっている。
【０００３】
したがって、掛止板の嵌合孔を掛止部材に嵌めるだけの操作で簡単に施錠できる。
【先行技術文献】
【特許文献】
【０００４】
【特許文献１】実公平４−２８３７６号公報
【特許文献２】特開２００７−７１０１３号公報
【発明の概要】
【発明が解決しようとする課題】
【０００５】
しかしながら、このような従来の鞄錠では、開錠操作が簡単ではない、という課題がある。すなわち、施錠時には、掛止部材が掛止板の横長の嵌合孔に対し直交する縦向きの施錠で係止している。そこで、開錠する場合には、まず、掛止部材を指先で摘んでトーションばねのばね力に抗して９０度回動させることにより、掛止部材を横向きに傾動させ、横長の掛止板の嵌合孔に一致させる。
【０００６】
これにより、掛止部材と掛止板の嵌合孔との係止状態が解除されるので、この掛止板を掛止部材から取り外すことにより開錠することができる。
【０００７】
しかし、ランドセルの場合、そのユーザである小学生等の子供の指力は大人に比して非力であるので、掛止部材を指先で摘んでトーションばねのばね力に抗して９０度回動させることは必ずしも容易ではなく、その操作も煩雑である。
【０００８】
また、掛止板と掛止部材が共に外部に露出しているので、これら掛止板と掛止部材との嵌合部の間隙等に、掛止部材の回動時等で子供の指先等が挟まる危険性がある。
【０００９】
さらに、掛止板を掛止部材から取り外す際に、この掛止板を取り付けているランドセルの蓋部材であるＹベロを持って勢いよく開蓋する場合には、この金属製の掛止板が子供の顔面等に当たる虞もある。
【００１０】
本発明の実施形態は、施錠と開（解）錠が簡単かつ確実で安全性の高い鞄錠を提供することにある。
【課題を解決するための手段】
【００１１】
実施形態は、鞄の開閉端部の一端部に固着される固着部と係止孔とを有する係止金具およびこの係止金具が固着されるフック本体を備えたフック装置と、このフック装置を施錠する錠本体とを具備している。
【００１２】
錠本体は、鞄の開閉端部の他端部に配設され係止金具が押し当てられる押当面を有する本体ケースと、この本体ケースに配設され係止金具の係止孔内を係脱可能に挿通してこの係止孔に係止する施錠位置とこの係止孔との係止状態が解除される開錠位置とに回動可能に構成されかつ施錠位置に回動するように付勢される捻りと、この捻りの回動軸に外嵌固定されストッパ用係止部とレバー用係止部とを有するカムロータと、本体ケースの押当面に出没可能に突設され、その突出時にストッパ用係止部に係脱可能に係止して捻りを開錠位置に保持する一方、没入時にストッパ用係止部との係止状態を解除して捻りの施錠位置への回動を可能にするストッパと、捻りが施錠位置にある場合に押圧されたときにレバー用係止部を押圧してカムロータを回動させることによりストッパ用係止部とストッパとの係止状態を解除して捻りが開錠位置に回動するようにカムロータを回動させるレバーとを具備している。
【発明の効果】
【００１３】
本実施形態によれば、施錠時に単にレバーを押圧することにより簡単かつ迅速に開錠することができる。
【図面の簡単な説明】
【００１４】
【図１（ａ）】本実施形態に係る鞄錠のフック装置の分解斜視図。
【図１（ｂ）】本実施形態に係る鞄錠の錠本体の分解斜視図。
【図２】図１で示す鞄錠を装着したランドセルの底部斜視図。
【図３】図１で示す錠本体の一部省略斜視図。
【図４】（ａ）は図３等で示すフック装置の外観正面図、（ｂ）は同（ａ）の側面図、（ｃ）は同（ａ）の背面図。
【図５】図３等で示す錠本体の本体ケースの正面図。
【図６】図２等で示すフック装置を錠本体から取り外した状態を示す斜視図。
【図７】図５等で示す本体ケース内に配設される捻り、カムロータ、レバー、ストッパ、アンダーベース等の組付け状態を示す施錠時の斜視図。
【図８】（ａ）は図７等で示す捻り、ストッパおよびカムロータ等の開錠時の作用を示す要部正面図、（ｂ）は同（ａ）の側面図、（ｃ）はこれら同（ａ），（ｂ）で示す捻りが係止金具の係止孔に対して開錠位置にあることを示す当該係止金具の背面図。
【図９】（ａ）は図７等で示す捻り、ストッパおよびカムロータ等の施錠時の作用を示す要部正面図、（ｂ）は同（ａ）の側面図、（ｃ）はこれら同（ａ），（ｂ）で示す捻りが係止金具の係止孔に対して係止して施錠状態にあることを示す当該係止金具の背面図。
【発明を実施するための形態】
【００１５】
以下、本発明の実施形態を図面に基づいて説明する。なお、複数の図面中、同一または相当部分には同一符号を付している。
【００１６】
図１（ａ），（ｂ）は実施形態に係る鞄錠の分解斜視図、図２はこの鞄錠を装着した鞄の一例としてのランドセルの底部斜視図である。
【００１７】
図２に示すように鞄錠１は、鞄の一例であるランドセル２等に装着される。ランドセル２は、合成樹脂製や、天然または人工の皮革製等の鞄本体２ａとこの鞄本体２ａの底部２ｂと反対側で開口する図示省略の開口部を閉じる蓋部材２ｃを有する。蓋部材２ｃはランドセル２の開閉端部の一端部であり、その他端部は鞄本体２ａの底部２ｂをなす。
【００１８】
鞄本体２ａは、ランドセル２を小学生等のユーザが背負うときに使用する左右一対の肩ベルト２ｄ，２ｅ、ユーザが背負ったときにユーザの背中に接する背板２ｆ、左右一対の肩ベルト２ｄ，２ｅの下端側に配設された金属製のリング２ｇ，２ｈを支持する回動可能の支持具であるダルマ座２ｉ，２ｊ等を配設しており、剛性を有する底部２ｂに錠本体３を固着している。また、蓋部材２ｃの先端部にはほぼＹ字状のＹベロ２ｋを固着し、このＹベロ２ｋの先端部にはフック装置４を固着している。
【００１９】
図１（ａ），図４（ａ）〜（ｃ）で示すように、フック装置４は、鉄やその合金等により長方形の平板に形成された係止金具４ａを有する。この係止金具４ａは、横に長い２つの長方形の係止孔４ｂ，４ｃをその長手方向に所要の間隔を置いて形成している。係止金具４ａはその一端部（図１（ａ）では左端部）を、Ｙベロ２ｋの先端部を固着するための固着部４ｄに形成している。この固着部４ｄは扁平角筒状のフックトップベース４ｅを図示省略のリベットにより取り付けるための複数の下孔４ｆ，４ｆを形成している。なお、リベットを取付ねじに代えてもよい。
【００２０】
フックトップベース４ｅは、その図１（ａ）中下部のベロ挿入部内に、Ｙベロ２ｋの先端部を挿入する一方、図中上端の矩形凹部内にフックトップ４ｇを嵌合させる。このフックトップ４ｇと上記Ｙベロ２ｋの挿入端部とをフックトップベース４ｅに取付ねじにより共締めすることにより固着している。
【００２１】
フックトップベース４ｅは皮革製等のＹベロ２ｋの外観上見苦しい切断端部の上面を被覆して隠蔽することにより美的外観の向上を図っている。フックトップベース４ｅにはフックトップベース４ｅとＹベロ２ｋの挿入端部とを共締めすることによりこれらを結合しており、その結合強度を補強している。係止金具４ａはその幅方向両端に、図１（ａ）中上方へ立ち上がる左右一対の側壁４ｉ，４ｉを形成している。
【００２２】
係止金具４ａは、その一対の側壁４ｉ，４ｉを、扁平角筒状のフック本体４ｊの一端部（図１では下端部）に形成した図示省略の嵌合孔に挿入して位置決めし、複数のリベット４ｒ，４ｒと図示省略の複数の取付ねじによりフック本体４ｊに取り付けられる。
【００２３】
フック本体４ｊは、その図１中上端部上に、例えばＷ等所要のマークを表示したほぼ円板状のマークプレート４ｋと、このマークプレート４ｋの外周縁部をフック本体４ｊ側に押え付けて固定するマークカバー４ｌを嵌入させる大小上下２段の円形状の嵌合凹部４ｍをそれぞれ形成している。これら嵌合凹部４ｍの内側周面には、マークプレート４ｋとマークカバー４ｌの外側周面にそれぞれ形成された複数の係止舌片４ｎ，４ｎ，…が嵌入されて取り付けられる、図示省略の嵌合孔が形成されている。マークプレート４ｋとマークカバー４ｌは、所要の弾性部材により形成される。
【００２４】
フック本体４ｊは、その左右両側面（図１（ａ）では前面と背面）に、水平方向外側方へ突出する所要の波形状のガイド壁４ｏ，４ｏを形成している。
【００２５】
そして、図１（ｂ）や図３，図５等で示すように、錠本体３は鞄本体２ａの底部２ｂの外面に固着される本体ケースの一例である硬質樹脂製等のトップベース５を備えている。トップベース５は、その長手方向ほぼ中央部外面（図１（ｂ）では上面）に、図４（ａ）〜（ｃ）に示すように係止金具４ａの図中下面が押し当てられる押当面５ａを形成しており、この押当面５ａのほぼ中央部上には、上記係止金具４ａの係止孔４ｂ，４ｃが嵌合される嵌合突部６を一体に突設している。
【００２６】
嵌合突部６は、平面形状が上記係止金具４ａの係止孔４ｂ，４ｃ内を挿通し得る形状と大きさに形成され、その突出高さは係止金具４ａ本体の板厚による高さよりも若干高くなるように形成されている。すなわち、嵌合突部６が係止孔４ｂ，４ｃ内に挿通されたときに、嵌合突部６の上面が係止孔４ｂ，４ｃの上面よりも若干上方へ突出する高さに形成されている。
【００２７】
嵌合突部６は、その頂端（図１（ｂ）中上端）中央部に、トップベース５の厚さ方向に貫通する平面円形の軸孔６ａを形成している。
【００２８】
トップベース５は、嵌合突部６の一側（図１（ｂ）では右側、図５では下側）にて、押当面５ａ上に、ストッパの一例であるストッパ軸７を出没可能に挿通させるストッパ用挿通孔５ｃを形成している。すなわち、ストッパ軸７は、その上端部を押圧面５ａ上で上下方向で出没する出没端部７ａに形成している。
【００２９】
図１（ｂ）に示すように、ストッパ軸７はその軸方向中間部に係止用フランジ７ｂを突設し、この係止用フランジ７ｂの下面に、コイル状のストッパばね７ｄの図１中上端部内に嵌入される嵌合突部７ｃを一体に形成している。ストッパばね７ｄは、その図１中下端を後述するアンダーベース１１の内底面上に載置固定され、ストッパ軸７の図１中上端部である出没端部７ａを常時上方（押圧面５ａ側）に付勢し、押圧面５ａのストッパ用挿通孔５ｃを挿通して、この押圧面５ａよりも図１中上方へ突出するように付勢している。
【００３０】
さらに、トップベース５は、押当面５ａの幅方向両端にて、それぞれ図中上方へ突出する波形の左右一対の押当ガイド８ａ，８ｂを一体に突設している。これら左右一対の波形の押当ガイド８ａ，８ｂは、その内側で上記フック装置４の左右一対の波形のガイド壁４ｏ，４ｏに嵌合する。また、トップベース５は、その図１中左端部に平面形状が長円形の有蓋無底円筒状の磁石収容室５ｂを形成している。
【００３１】
また、トップベース５は、その長手方向両端部（図１（ｂ），図３では左右両端部）に、このトップベース５をランドセル２の底部２ｂ外面に固定する一対のダルマ座２ｉ，２ｊ（図２参照）の軸がランドセル２の内底部側へ貫通する左右一対の挿通孔９ａ，９ｂを穿設している。このダルマ座２ｉ，２ｊの軸はランドセル２の内底部側で図示しないかしめにより堅く締結、固定される。
【００３２】
図１（ｂ）に示すようにトップベース５は、押当面５ａの裏面側（図１（ｂ）では下面側）に、有蓋無底角筒状の機械室１０を一体に形成し、トップベース５の押当面５ａの裏面を機械室１０の天面１０ａに形成している。この天面１０ａの反対側（図１（ｂ）では下面側）は開口しており、この開口端には例えば板金等により平板に形成されたアンダーベース１１が配設されている。さらに、このアンダーベース１１の下面には鉄製のほぼ平板状のスティールベース１２が固定されて、閉じられている。
【００３３】
そして、嵌合突部６上には、その平面形状と大きさがほぼ同一の捻り１３が同心状に配設される。捻り１３は例えば亜鉛合金ダイカスト等の金属により横長の直方体に形成され、係止金具４ａの係止孔４ｂ，４ｃが挿通可能の形状と大きさに形成されている。
【００３４】
また、捻り１３は、その図１（ｂ）中の下面中央部に中実円柱状の回動軸１３ａを同心状に一体に突設している。この回動軸１３ａは、嵌合突部６の軸孔６ａ内を挿通して捻り１３が嵌合突部６の頂端上で回動可能に配置される。
【００３５】
捻り１３の回動軸１３ａは、嵌合突部６の軸孔６ａ内を挿通して機械室１０内に延伸し、この延伸部の上部を横長矩形の角柱部１３ｂに形成している。この角柱部１３ｂの下方には円柱部１３ｃを形成している。この角柱部１３ｂはカムロータ１４のほぼ中央部の角孔１４ａ内に嵌入して堅く嵌合されることにより、カムロータ１４を回動軸１３ａに堅く結合している。
【００３６】
カムロータ１４は、例えば硬質樹脂等により平面が円形の円板に形成されたロータ本体１４ｂを有する。このロータ本体１４ｂは、その図１（ｂ）中上面の外周部に、外方に突出する円弧状のストッパ用係止部１４ｃと矩形状のレバー用係止部１４ｄとを軸方向に上下２段で形成している。カムロータ１４の背面（図１（ｂ）では下面）側では、トーションばね１５が配設されている。トーションばね１５は、例えばコイルばねにより構成され、そのコイル部を回動軸１３ａの下部円柱部外周に外嵌し、そのコイル両端を所要角度で直線状にそれぞれ延伸させ、さらに、これらの延伸端を鉤状に屈曲して左右一対の係止端部に一体に連成している。
【００３７】
トーションばね１５は、その鉤状の係止端部の一方をカムロータ１４の一端に係止させる一方、他方の係止端部を、トップベース５内に突設された図示省略の小円柱状の係止ポストに係止させて固定している。すなわち、トーションばね１５は、図５，図６および図８（ａ）〜（ｃ）で示す開（解）錠位置と、図７，図９で示す施錠位置間を捻り１３が可逆的に回動し得るように弾性的に支持し、かつ捻り１３を常時施錠位置に付勢する。
【００３８】
そして、図１（ｂ）に示すようにトップベース５は、その一側面（図１（ｂ）では右側面）に、ほぼＵ字状のレバー１６と、コイルばねの復帰ばね１７とを挿入し、機械室１０に連通する矩形状の側面開口５ｄを形成している。
【００３９】
図７〜図９（ｃ）に示すように、Ｕ字状のレバー１６は、その２股分岐端部１６ａ，１６ｂの一方、例えば１６ｂの先端部に小径円柱状の嵌合凸部１６ｃを突設し、この嵌合凸部１６ｃをコイル状の復帰ばね１７の一端部内に嵌入している。Ｕ字状のレバー１６は、その２股分岐端部１６ａ，１６ｂと復帰ばね１７を機械室１０内に挿入するが、これら２股分岐端部１６ａ，１６ｂの長手方向反対側の外端部１６ｄを機械室１０の側面開口５ｄよりも所要長外方へ突出させている。この復帰ばね１７の他端は機械室１０内の図示しない固定壁に固定される。
【００４０】
図２に示すように、レバー１６は、ランドセル２の背板２ｆ側に配設される。すなわち、ランドセル２をユーザが背負ったときに、その背中に当接する背板２ｆ側に配設される。
【００４１】
機械室１０は、その図１（ｂ）中開口下端にアンダーベース１１を配設し、このアンダーベース１１の内底面上に、図７でも示すようにＵ字状のレバー１６の挿入方向を案内する挿入路１８を形成している。挿入路１８はＵ字状のレバー１６の２股分岐端部１６ａ，１６ｂの各外側面に摺動可能に摺接する左右一対の挿入ガイド壁１８ａ，１８ｂをアンダーベース１１上に立設している。
【００４２】
アンダーベース１１は、回動軸１３ａの図１中下端部を挿通させる挿通孔１８ｃを形成している。
【００４３】
図１（ｂ）に示すように、鉄またはその合金製等のスティールベース１２は、アンダーベース１１の下面に、図示省略の取付ねじ等により固定される一方、そのほぼ中央部上に、回動軸１３ａの円柱状下端部を挿通させて回転可能に支持するボス部１２ａを一体に突設している。図中、符号１２ｂは、回動軸１３ａの終端部のかしめ部に外嵌されてボス部１２ａに回動可能に取り付けるためのワッシャである。
【００４４】
また、スティールベース１２は、その一端部（図１（ｂ）では左端部）に、複数、例えば２個一対の永久磁石１９，１９を固定可能に載置させて上記トップベース５の磁石収容室５ｂの底部をなす磁石載置部１２ｃを形成している。すなわち、磁石載置部１２ｃはアンダーベース１１の図１中左端よりも外側方へ延在してアンダーベース１１の左端部を介さずにトップベース５の磁石収容室５ｂの底部に直接形成されている。
【００４５】
次に、このように構成された鞄錠１の作用を説明する。
【００４６】
まず、鞄錠１の錠本体３が組み上げられた時点では、図６，図８（ａ）〜（ｃ）に示すように、捻り１３が横向きの開（解）錠位置に位置するように設定されている。
【００４７】
このとき、ストッパ軸７は、ストッパばね７ｄにより本体ケースであるトップベース５の押当面５ａ側の上方へ押し上げられ、この出没端部７ａが押当面５ａよりも上方へ所要長突出している。また、このとき、捻り１３とカムロータ１４は、トーションばね１５のばね力により施錠位置へ回動するように付勢されている。
【００４８】
しかし、このカムロータ１４のストッパ用係止部１４ｃの施錠位置への回動方向（図８中、反時計方向）前端には、ストッパ軸７の係止用フランジ７ｂの外側面が当接している。このために、カムロータ１４と捻り１３の施錠位置への回動は強制的に阻止され、捻り１３が開錠位置に保持されている。
【００４９】
（施錠）
このように捻り１３が開錠位置に保持されているときに、図６に示すようにフック装置４をトップベース５の押当面５ａ上に押し当てると、まず、フック装置４の左右一対の波形のガイド壁４ｏ，４ｏがトップベース５の左右一対の波形の押当ガイド８ａ，８ｂ内に嵌合する。
【００５０】
このために、図８（ｃ）に示すように、捻り１３がフック装置４の係止金具４ａの、例えば図中上方の係止孔４ｂ内に挿入される。しかし、この状態では、捻り１３が横向きの係止孔４ｂと同様に横向きの開錠位置にあるので、捻り１３は係止孔４ｂとは係止していない。したがって、このときは未だ開錠状態にある。
【００５１】
そこで、小学生等のユーザが指先等によりフック装置４の上面等をトップベース５の押当面５ａ側へ軽く押圧すると、係止金具４ａにおける係止孔４ｂの図中下方の平坦面が突出中のストッパ軸７の出没端部７ａを押圧する。
【００５２】
すると、図９（ｂ）に示すようにストッパ軸７の出没端部７ａがストッパばね７ｄのばね力に抗してトップベース５の押当面５ａのストッパ用挿通孔５ｃから、その内方の機械室１０内へ没入する。
【００５３】
このために、ストッパ軸７の係止用フランジ７ｂがカムロータ１４のストッパ用係止部１４ｃの下面下方へ移動するので、この係止用フランジ７ｂとストッパ用係止部１４ｃとの係止状態が解除される。
【００５４】
これにより、図９（ａ）に示すようにカムロータ１４および捻り１３がトーションばね１５のばね力により、例えば９０度回動し、図９（ｂ），（ｃ）に示すように、捻り１３が縦向きの施錠位置に回動する。
【００５５】
このために、図９（ｃ）に示すように縦向きの捻り１３が、これに嵌合されている横向きの係止孔４ｂに係止される。その結果、フック装置４が錠本体３に施錠される。この施錠時にはフック装置４の金属製の係止金具４ａの押当面の一部がトップベース５の磁石収容部５ｂの上面上に密着するので、この磁石収容部５ｂ内の永久磁石１９，１９の磁気吸引力により吸引されて吸着される。これにより、フック装置４は錠本体３に捻り１３と永久磁石１９，１９により２重に結合される。
【００５６】
そして、図９（ａ）に示すように、この施錠時には、ストッパ軸７の出没端部７ａが係止金具４ａの押当面により下方へ押圧されていると共に、ストッパ軸７の係止用フランジ７ｂの一部（図中上部）がカムロータ１４のストッパ用係止部１４ｃの下面によりストッパばね７ｄのばね力に抗して下方（図９（ａ）では図面の裏面側）へ弾圧されるので、ストッパ軸７の全体が下方へ押し下げられる。
【００５７】
このために、ストッパ軸７の上端の出没端部７ａがトップベース５の押当面５ａから、その内方へ没入した状態が保持される。捻り１３の施錠位置はトーションばね１５のばね力により保持される。
【００５８】
（開錠）
そして、図９（ａ），（ｂ）に示すように、この施錠時に、トップベース５の側面開口５ｄから外方へ突出しているＵ字状のレバー１６の外端部１６ｄを、側面開口５ｄの内側へ押し込むと、Ｕ字状のレバー１６の一方の２股分岐端部１６ａの先端がカムロータ１４のレバー用係止部１４ｄの一端（図中下端）に当接して図中左側（図７では上方）へ押し上げる。
【００５９】
すると、カムロータ１４および捻り１３がトーションばね１５のばね力に抗して、図中時計方向に例えば９０度回動する。このために、図８（ａ）〜（ｃ）に示すように捻り１３が横向きの開錠位置に回動し、係止金具４ａの横向きの係止孔４ｂとの係止状態が解除され、開錠される。この後、Ｕ字状のレバー１６は復帰ばね１７のばね力によりＵ字状のレバー１６の外端部１６ｄが押し込み前の原位置に戻され、その外端部１６ｄが機械室１０の側面開口５ｄよりも若干外方へ突出した状態が保持される。
【００６０】
また、この開錠により、ストッパ軸７の係止用フランジ７ｂとカムロータ１４のストッパ用係止部１４ｃとの係止状態が解除され、この係止用フランジ７ｂがストッパ用係止部１４ｃの回動方向（図中反時計方向）前端の前方に突出して係止し、このストッパ用係止部１４ｃの反時計方向、すなわち、捻り１３の施錠位置への回動を強制的に阻止する。これにより、開錠位置が保持される。
【００６１】
また、このとき、ストッパ軸７の出没端部７ａがトップベース５の押当面５ａよりも上方へ押し上げられるので、この押し上げられた出没端部７ａが図９（ｃ）で示すフック装置４の係止金具４ａの上方の係止孔４ｂよりも、図中若干下方の押当面が上方へ押し上げられる。
【００６２】
これにより、フック装置４と錠本体３との係止状態が解除され、開錠されたことをユーザは知ることができる。
【００６３】
以上説明したようにこの実施形態によれば、錠本体３のトップベース５の押当面５ａ上にフック装置４を単に押し当てる簡単な一操作によりストッパ軸７の出没端部７ａをストッパ用挿通孔５ｃ内に没入させ、フック装置４を錠本体３に自動的に施錠することができる。
【００６４】
しかも、このとき、錠本体３のトップベース５の左右一対の波形の押当ガイド８ａ，８ｂ同士間の間隙内に、フック装置４のフック本体４ｊの左右一対の波形のガイド壁４ｏ，４ｏが嵌合するので、フック装置４の係止金具４ａの係止孔４ｂ，４ｃの一方が、錠本体３の捻り１３上に高い精度で簡単かつ迅速に位置決めされ、その位置ずれを防止ないし低減できる。
【００６５】
そして、この施錠時に、Ｕ字状のレバー１６の外端部１６ｄを、機械室１０の側面開口５ｄよりも、その内側へ単に押し込む簡単な操作により、この施錠を自動的に開錠することができる。
【００６６】
すなわち、この鞄錠１によれば、施錠と開（解）錠を共に自動的に行うことができる。
【００６７】
このために、従来、開錠する際はユーザの小学生等が手動で行っていたが、その必要が無い。その結果、簡単かつ迅速に開錠することができ、使い勝手の向上を図ることができる。
【００６８】
そして、フック装置４は、係止金具４ａの外面（図１（ａ）では上面）をフック本体４ｊやマークプレート４ｋ、マークカバー４ｌにより被覆したので、係止金具４ａの上面を露出した従来錠では、小学生の指先等が係止金具４ａの係止孔４ｂ，４ｃと捻り１３との間隙に挟まれて怪我をすることを未然に防止できる等、安全性の向上を図る。
【００６９】
また、マークプレート４ｋに所要のエンブレムを表示する等美的処理を施すことにより、美観の向上と商品価値の向上とを共に図ることができる。さらに、マークプレート４ｋとマークカバー４ｌを弾性部材により形成したので、開錠時、万一、これらマークプレート４ｋやマークカバー４ｌが小学生の顔面に衝当した場合でも、怪我を低減し安全性の向上を図ることができる。
【００７０】
また、施錠時には、係止金具４ａと捻り１３との係止による結合と、複数の永久磁石１９，１９の磁気吸引力による錠本体３のトップベース５の磁石収容部５ｂと係止金具４ａの固着部との吸着による結合と、の２方法および２箇所により結合するので、その結合力の増強と安全性とを共に図ることができる。
【００７１】
このために、例えば小学生がランドセル２を背負ったまま激しく活動して、ランドセル２内の収容物が激しく動揺した場合でも、鞄錠１が不意に開錠して収容物が外部に放出される事態の発生を未然に防止または低減できる。
【００７２】
さらに、レバー１６をランドセル２の背板２ｆ側、すなわち、小学生等のユーザの背中側に設けたので、ユーザはランドセル２を背負ったままの状態でレバー１６を押圧操作して簡単に開錠できる。
【００７３】
なお、上記実施形態では、図８（ｃ），図９（ｃ）に示すように、係止金具４ａの図中上方の係止孔４ｂに捻り１３を係止させる場合について説明したが、本発明はこれに限定されるものではなく、例えば図中下方の係止孔４ｃに捻り１３を係止させてもよい。
【００７４】
すなわち、収容物が多いためにランドセル２が膨張する場合には、Ｙベロ２が上方へ引張られるので、その分、フック装置４の係止金具４ａが錠本体３に対し上方へずれ、下方の係止孔４ｃが捻り１３に位置することがある。また、上記実施形態では、鞄としてランドセルを用いた場合について説明したが、本発明はこれに限定されるものではなく、鞄本体と蓋部材を有する鞄に適用することができる。さらに、係止金具４ａを鉄等の金属ではなく、樹脂により形成してもよい。この場合は永久磁石１９は不要になる。
【００７５】
以上、本発明の幾つかの実施形態を説明したが、これらの実施形態は、例として提示したものであり、本発明の範囲を限定することは意図していない。これら新規な実施形態は、その他の様々な形態で実施されることが可能であり、本発明の要旨を逸脱しない範囲で、種々の省略、置換え、変更を行うことができる。これら実施形態やその変形は、本発明の範囲や要旨に含まれるとともに、特許請求の範囲に記載された発明とその均等の範囲に含まれる。
【符号の説明】
【００７６】
１…鞄錠、２…ランドセル、２ａ…鞄本体、２ｂ…底部（開閉端部）、２ｃ…蓋部材（開閉端部）、３…錠本体、４…フック装置、４ａ…係止金具、４ｂ，４ｃ…係止孔、４ｌ…マークカバー、５…トップベース（本体ケース）、５ａ…押当面、７…ストッパ軸、７ｂ…係止用フランジ、８ａ，８ｂ…押当ガイド、１３…捻り、１４…カムロータ、１４ｃ…ストッパ用係止部、１４ｄ…レバー用係止部、１６…Ｕ字状のレバー、１９…永久磁石。
【図１（ａ）】
0006632892.tif 000002
【図１（ｂ）】
0006632892.tif 000003
【図２】
0006632892.tif 000004
【図３】
0006632892.tif 000005
【図４】
0006632892.tif 000006
【図５】
0006632892.tif 000007
【図６】
0006632892.tif 000008
【図７】
0006632892.tif 000009
【図８】
0006632892.tif 000010
【図９】
0006632892.tif 000011